(57)【要約】【課題】起き上がろうとするときでも、抵抗を感じさせない布バネ式椅子を得る。【解決手段】背凭れから座面まで連続した布帛１２を張設して体支面１３とし、背凭れの上半部と座面の前半部の左右両端縁を左右向き合うフレーム桿に係止し、背凭れの下半部と座面の後半部の左右両端縁をフレーム桿に係止されない自由縁３１とし、背凭れを係止するフレーム桿３６を本体フレーム２２に揺動可能にピン接合し、固定座面３０に対する固定背凭れ２９の傾斜角度を加減調節可能にした布バネ式椅子において、（１）  端縁が自由縁となっている下半部のフリー背凭れ３２の裏側にランバーサポート３３を揺動フレーム桿３６の間に掛け渡し、（２）  端縁が自由縁となっている後半部のフリー座面３９の裏側にパックアップシート３５をフレーム桿１１の間に掛け渡す。【選択図】図１
2008253654.tif 000002
【特許請求の範囲】
【請求項１】
（イ）  椅子の左右向き合うフレーム桿とフレーム桿の間に背凭れから座面まで連続した布帛（１２）を張設して身体を支える体支面（１３）が構成されており、
（ロ）  背凭れの上半部と座面の前半部において、布帛（１２）の左右両端縁が左右向き合うフレーム桿とフレーム桿に係止された固定縁（１４・１４）となっており、
（ハ）  背凭れの下半部と座面の後半部において、布帛（１２）の左右両端縁がフレーム桿に係止されない自由縁（３１・３１）となっており、
（ニ）  端縁が自由縁（３１）となっている下半部のフリー背凭れ（３２）の裏側に、ランバーサポート（３３）が、左右向き合う揺動フレーム桿（３６・３６）の間に掛け渡されており、
（ホ）  端縁が自由縁（３１）となっている後半部のフリー座面（３９）の裏側にパックアップシート（３５）が左右向き合うフレーム桿（１１ａ・１１ｂ）の間に掛け渡されている布バネ式椅子。
【請求項２】
（ヘ）  背凭れの上半部において布帛（１２）の端縁を係止するフレーム桿（３６）が、椅子本体フレーム（２２）に揺動可能にピン接合されており、
（ト）  布帛（１２）の端縁がフレーム桿（１１）に係止された前半部の固定座面（３０）に対する上半部の固定背凭れ（２９）の傾斜角度（α）が加減調節可能になっている前掲請求項１に記載の布バネ式椅子。
【請求項３】
（チ）  フレーム桿（１１・３６）に係止される布帛（１２）の固定縁（１４）が袋状空洞（１５）になっており、
（リ）  その袋状空洞（１５）に縁取桿（１６）が挿入されており、
（ヌ）  布帛（１２）の固定縁（１４）を係止するフレーム桿（１１・３６）にネジ差込孔（２０）が穿設されており、
（ル）  縁取桿（１６）がフレーム桿（１１・３６）に重なり、布帛（１２）が縁取桿（１６）を介してフレーム桿（１１・３６）の上に重なり合っており、
（オ）  フレーム桿（１１・３６）を貫通したネジ材（１７）によって縁取桿（１６）がフレーム桿（１１）に接合されており、
（ワ）  そのネジ材の端部（１８）が体支面（１３）の裏側となるフレーム桿（１１）の裏面に突き出ている前掲請求項１と２の何れかに記載の布バネ式椅子。
【請求項４】
（カ）  布帛（１２）の通気度が１５０ｃｃ／ｃｍ2 ・ｓｅｃ以上である前掲請求項１と２と３の何れかに記載の布バネ式椅子。
【請求項５】
（ヨ）  左右のフレーム桿（１１ａ）とフレーム桿（１１ｂ）が向き合う椅子の幅方向における布帛（１２）の１０％伸長時の引張応力が１２０〜６００（Ｎ／５ｃｍ）である前掲請求項１と２と３と４の何れかに記載の布バネ式椅子。
【請求項６】
（タ）  左右向き合う本体フレーム（２２ａ）と本体フレーム（２２ｂ）のそれぞれに揺動桿（２３ａ・２３ｂ）がピン接合されており、
（レ）  それら左右の揺動桿（２３ａ・２３ｂ）がピン接合されており、
（ソ）  その左右の揺動桿間のピン接合点（２４）を境にして揺動桿（２３）と本体フレーム（２２）とのピン接合点（２５）の反対側となる揺動桿の先端が自由端（２６）となっており、
（ツ）  その自由端（２６）に、固定座面（３０）の布帛の固定縁（１４）を係止するフレーム桿（１１）が接合されており、
（ネ）  左右の揺動桿（２３ａ）と揺動桿（２３ｂ）が互いに向き合う方向に揺動して左右の本体フレーム（２２ａ・２２ｂ）の間の体支面（１３）の幅が拡縮調節可能な前掲請求項１と２と３と４と５の何れかに記載の布バネ式椅子。
【発明の詳細な説明】
【技術分野】
【０００１】
本発明は、座席、座椅子、車椅子等の椅子に関するものである。
【背景技術】
【０００２】
椅子の左右向き合うフレーム桿とフレーム桿の間に背凭れから座面まで連続した１０％伸長時の引張応力が１２０〜６００（Ｎ／５ｃｍ）の弾性布帛を張設して身体を支える体支面を構成し、その背凭れの上半部と座面の前半部において弾性布帛の左右両端縁を左右向き合うフレーム桿とフレーム桿に係止された固定縁とすると共に、背凭れの下半部と座面の後半部において弾性布帛の左右両端縁をフレーム桿に係止されない自由縁とした布バネ式椅子は公知である（例えば、特許文献１参照）。
【０００３】
この布バネ式椅子では、弾性布帛の背凭れと座面の間がフリーになっており、体重が作用して座面の後半部が沈むときは背凭れが吊り上げる恰好になるので座面の後半部が大きく沈み込むことがなく、身動きする度に座面や背凭れが追随して伸縮変動し、自由な身動きが束縛されることなく、解放感を与え、又、弾性布帛の座面の後半部が適度に沈み込んで前半部との間にステップが発生し、そのステップに臀部が引っ掛かる恰好になる。このため、臀部の前方へのズレ、仙骨座り、或いは、ズッコケ座りと言った不自然な姿勢が強いられることはなく、使用中に受ける身体への負荷も軽減し、苦痛に感じられることもなく、身体が長時間にわたって安定に支えられる等の利点がある。
【０００４】
【特許文献１】特開２００６−２９６７０６号公報
【発明の開示】
【発明が解決しようとする課題】
【０００５】
この布バネ式椅子を、その弾性布帛の背凭れの上半部を係止するフレーム桿を椅子本体フレーム２２にピン接合して揺動可能にし、座面に対する背凭れの上半部の傾斜角度が加減調節可能なリクライニング椅子とし、その体支面に横臥して起き上がろうとするときは、そのフリーになっている弾性布帛の背凭れと座面の間の連続部分が大きく沈み込み、起き上がり難いと言う点が問題となる。
【０００６】
そこで本発明は、横臥した姿勢から起き上がろうとするときでも、抵抗を感じさせない布バネ式椅子を得ることを目的とする。
【課題を解決するための手段】
【０００７】
本発明に係る布バネ式椅子は、（イ）  椅子の左右向き合うフレーム桿とフレーム桿の間に背凭れから座面まで連続した布帛１２を張設して身体を支える体支面１３が構成されており、（ロ）  背凭れの上半部と座面の前半部において、布帛１２の左右両端縁が左右向き合うフレーム桿とフレーム桿に係止された固定縁１４・１４となっており、（ハ）
背凭れの下半部と座面の後半部において、布帛１２の左右両端縁がフレーム桿に係止されない自由縁３１・３１となっており、（ニ）  端縁が自由縁３１となっている下半部のフリー背凭れ３２の裏側に、ランバーサポート３３が、左右向き合う揺動フレーム桿３６・３６の間に掛け渡されており、（ホ）  端縁が自由縁３１となっている後半部のフリー座面３９の裏側にパックアップシート３５が左右向き合うフレーム桿１１ａ・１１ｂの間に掛け渡されていることを第１の特徴とする。
【０００８】
本発明に係る布バネ式椅子の第２の特徴は、上記第１の特徴に加えて、（ヘ）  背凭れの上半部において布帛１２の端縁を係止するフレーム桿３６が、椅子本体フレーム２２に揺動可能にピン接合されており、 (ト）  布帛１２の端縁がフレーム桿１１に係止された前半部の固定座面３０に対する上半部の固定背凭れ２９の傾斜角度αが加減調節可能になっている点にある。
【０００９】
本発明に係る布バネ式椅子の第３の特徴は、上記第１および第２の何れかの特徴に加えて、（チ）  フレーム桿１１（３６）に係止される布帛１２の固定縁１４が袋状空洞１５になっており、（リ）  その袋状空洞１５に縁取桿１６が挿入されており、（ヌ）  布帛１２の固定縁１４を係止するフレーム桿１１（３６）にネジ差込孔２０が穿設されており、（ル）  縁取桿１６がフレーム桿１１（３６）に重なり、布帛１２が縁取桿１６を介してフレーム桿１１（３６）の上に重なり合っており、（オ）  フレーム桿１１（３６）を貫通したネジ材１７によって縁取桿１６がフレーム桿１１に接合されており、（ワ）  そのネジ材の端部１８が体支面１３の裏側となるフレーム桿１１の裏面に突き出ている点にある。
【００１０】
本発明に係る布バネ式椅子の第４の特徴は、上記第１、第２および第３の何れかの特徴に加えて、（カ）  布帛１２の通気度が１５０ｃｃ／ｃｍ2 ・ｓｅｃ以上である点にある。
【００１１】
本発明に係る布バネ式椅子の第５の特徴は、上記第１、第２、第３および第４の何れかの特徴に加えて、（ヨ）  左右のフレーム桿１１ａとフレーム桿１１ｂが向き合う椅子の幅方向における布帛１２の１０％伸長時の引張応力が１２０〜６００（Ｎ／５ｃｍ）である点にある。
【００１２】
本発明に係る布バネ式椅子の第６の特徴は、上記第１、第２、第３、第４および第５の何れかの特徴に加えて、（タ）  左右向き合う本体フレーム２２ａと本体フレーム２２ｂのそれぞれに揺動桿２３ａ・２３ｂがピン接合されており、（レ）  それら左右の揺動桿２３ａ・２３ｂがピン接合されており、（ソ）  その左右の揺動桿間のピン接合点２４を境にして揺動桿２３と本体フレーム２２とのピン接合点２５の反対側となる揺動桿の先端が自由端２６となっており、（ツ）  その自由端２６に、固定座面３０の布帛の固定縁１４を係止するフレーム桿１１が接合されており、（ネ）  左右の揺動桿２３ａと揺動桿２３ｂが互いに向き合う方向に揺動して左右の本体フレーム２２ａ・２２ｂの間の体支面１３の幅が拡縮調節可能な点にある。
【発明の効果】
【００１３】
本発明（請求項１）では、体支面１３を構成する布帛１２の固定座面３０と固定背凭れ２９の間の中間部分３８が端縁の係止されないフリーの状態にあっても、そのフリー背凭れ３２の裏側のランバーサポート３３とフリー座面３９の裏側のパックアップシート３５からの反力が作用するので、そのフリーの中間部分３８が沈み込むことはない。
体支面１３に腰を下ろし、フリー座面３９が沈むときは、パックアップシート３５がフリー座面３９を押し上げ、固定背凭れ２９がフリー座面３９を吊り上げる恰好になるので、フリー座面３９が格別沈み込むことはない。
凭れかかってフリー背凭れ３２が窪むときは、ランバーサポート３３が押し返すので大きく窪むことはない。
そして、フリー座面３９とフリー背凭れ３２では、その布帛の端縁がフレーム桿に係止されない自由縁３１となっているので、ブランコのように身動きする身体に追随して伸縮振動し、従って、自由な身動きが束縛されることなく、解放感を与える。
更に、腰を下ろして沈むフリー座面３９と固定座面３０の間に僅かながらも段差（ステップ）が発生して臀部が引っ掛かる恰好になるので、臀部の前方へのズレ、仙骨座り、或いは、ズッコケ座りと言った不自然な姿勢が強いられることはなく、身体が長時間にわたって安定に支えられる。
加えて、固定座面３０とパックアップシート３５、パックアップシート３５とランバーサポート３３、ランバーサポート３３と固定背凭れ２９の各間に隙間や段差があっても、それらの上が連続した布帛１２で覆われているので、それらの隙間や段差を感じさせることはない。
【００１４】
特に、背凭れの上半部において布帛１２の端縁を係止するフレーム桿３６を椅子本体フレーム２２に揺動可能にピン接合し、布帛１２の端縁がフレーム桿１１に係止された前半部の固定座面３０に対する上半部の固定背凭れ２９の傾斜角度αが加減調節可能なリクライニング式にする場合、横臥した姿勢から起き上がろうとするとき、端縁が係止されないフリーの状態にあるフリー背凭れ３２やフリー座面３９に体重が集中して大きく沈み易くなるが、本発明では、フリー背凭れ３２の裏側のランバーサポート３３とフリー座面３９の裏側のパックアップシート３５からの反力が作用するので、大きく沈み込むことがなく、起き上がり易くなる。
従って、本発明（請求項２）によると、身体が長時間にわたって安定に支えられて座り心地がよく、横臥した姿勢から起き上がり易い布バネ式リクライニング椅子を得ることが出来る。
【００１５】
本発明（請求項３）では、縁取桿１６がフレーム桿１１（３６）に重なり、布帛１２は、その縁取桿１６を介してフレーム桿１１（３６）の上に重なり合って身体を支える体支面モジュールを構成し、ネジ材１７によって縁取桿１６と共にフレーム桿１１（３６）に接合されているので、そのネジ材１７を外して随時取り替え、或いは洗浄し、体支面１３を常時クリーンに保つことが出来る。
その体支面モジュールをフレーム桿１１（３６）に固定するネジ材１７は、その端部１８が体支面１３の裏側となるフレーム桿１１（３６）の裏面に突き出ているので、その突き出る端部１８によって体支面１３の美観や感触が損なわれることはない。
【００１６】
本発明（請求項４）では、通気度が１５０ｃｃ／ｃｍ2 ・ｓｅｃ以上のポーラスな布帛１２によって構成されているので、体支面１３が蒸れを感じさせず、又、そのように布帛１２がポーラスであっても、フリー背凭れ３２やフリー座面３９が沈み込んで起き上がり難くなるようなことはなくなる。
【００１７】
本発明（請求項５）では、体支面１３を構成する布帛１２の１０％伸長時の引張応力が１２０〜６００（Ｎ／５ｃｍ）であるので、フリー背凭れ３２やフリー座面３９が沈み込んで起き上がり難くなるようなことはなく、適度のクッション性を有し、特に、ピン接合されて左右向き合う揺動桿２３ａ・２３ｂの自由端２６・２６に布帛１２を緊張するフレーム桿１１ａ・１１ｂを接合するときは、その揺動桿２３ａ・２３ｂの撓みや揺動によって布帛１２の伸縮性が助長されるので、クッション性に優れた布バネ式椅子が得られる。
【００１８】
本発明（請求項６）において、布帛１２が張設されて左右向き合うフレーム桿１１ａ・１１ｂは、ピン接合されて左右向き合う揺動桿２３ａ・２３ｂの自由端２６・２６に接合されており、体支面１３に加わる体重に応じて布帛１２に作用するテンションによって揺動可能な状態におかれている。
このため、布帛１２に強いテンションが作用するときは、ネジ材１７も縁取桿１６やフレーム桿１１や揺動桿２３と一体になって揺動桿間のピン接合点２４を中心に揺動し、そのテンションに起因するネジ材１７に対する曲げ応力は、その揺動する揺動桿等の仕事量に吸収されて緩和される。
従って、ネジ材１７のみならず、フレーム桿１１や縁取桿１６にも太く重い部材を使用せずに済み、椅子フレームの軽量化を図ることが出来る。
【発明を実施するための最良の形態】
【００１９】
弾性布帛１２には、破断伸度が６０％以上であり、１５％伸長後の弾性回復率が９０％以上の弾性糸、例えば、ポリエーテル系エステル繊維糸条を使用するとよい。
弾性布帛１２は、その弾性糸の長さ方向を椅子の幅方向に向けて織編込んだ織物でも編物でもよく、又、立体メッシュ地のように表地と裏地を連結糸で連結した立体的二重構造を成すものであってもよい。
弾性布帛１２には、非弾性糸である通常の紡績糸やマルチフィラメント糸が、その長さ方向を椅子の奥行き方向に向けて織編込まれていてもよい。
特に編地では、弾性糸が一直線状に編み込まれている緯糸挿入編地を用いるとよい。
弾性布帛１２は、複数枚の生地を縫合して背凭れ２９から座面３０まで連続するように仕立てられたものであってもよい。
【００２０】
図１と図２は、車椅子に適用した本発明の実施例を示す。
体支面１３は、固定背凭れ２９から固定座面３０まで連続した弾性布帛１２によって構成されている。
弾性布帛１２の固定背凭れ２９における固定縁１４の袋状空洞１５には揺動フレーム桿３６が直接挿入されている。
弾性布帛１２の固定座面３０における固定縁１４の袋状空洞１５には縁取桿１６が挿入されており、縁取桿１６をフレーム桿１１の上に載せ、固定座面３０の裏側から縁取桿１６とフレーム桿１１がビス止めされている。
左右向き合うフレーム桿１１ａ・１１ｂは、左右向き合う本体フレーム２２ａ・２２ｂにピン接合された揺動桿２３ａ・２３ｂの自由端２６・２６に剛接されている。
その自由端２６・２６と本体フレーム２２ａ・２２ｂとのピン接合点２５ａ・２５ｂの中間部分で左右の揺動桿２３ａ・２３ｂがピン接合されており、そのピン接合点２４を中心に左右の揺動桿２３ａ・２３ｂが揺動して左右の本体フレーム２２ａ・２２ｂの間の幅が拡縮し、車椅子が折り畳めるようになっている（図３参照）。
ピン接合点２４を境とする揺動桿２３の上下両端部は分岐しており、その上端部の分岐桿２３ｅ・２３ｆは、フレーム桿１１の前端と後端に剛接され、その下端部の分岐桿は、本体フレーム２２の前端と後端にピン接合されている（図１参照）。
【００２１】
揺動フレーム桿３６は、本体フレーム２２に揺動可能にピン接合されており、固定座面３０に対する固定背凭れ２９の傾斜角度αを加減することが出来る。図２において、符号３７は、揺動フレーム桿３６の揺動を緩和するダンパー（油圧シリンダー）を示す。
【００２２】
弾性布帛１２の端縁の固定背凭れ２９と固定座面３０の間は、フレーム桿１１にも揺動フレーム桿３６にも把持されない自由縁３１になっている。左右の自由縁３１ａ・３１ｂに挟まれたフリー背凭れ３２の裏側には、ランバーサポート３３が左右の揺動フレーム桿３６・３６の間に掛け渡されている。左右の自由縁３１ａ・３１ｂに挟まれたフリー座面３９の裏側には、補強用弾性布帛３４が左右の揺動フレーム桿３６・３６の間に掛け渡されてパックアップシート３５を構成している。
この補強用弾性布帛３４の左右両端縁は、固定背凭れ２９から固定座面３０まで連続した弾性布帛１２のフレーム桿１１に把持された固定座面３０と同様に袋状空洞になっており、その袋状空洞に縁取桿が挿入され、その縁取桿と共にフレーム桿１１ａ・１１ｂにビス止めされている。
【００２３】
固定座面３０では、弾性布帛１２が折り返されて二重になっている。
パックアップシート３５は、腰を下ろした体支面１３を所要の沈み込みに規制する緩衝材として、その二重になった固定座面３０よりも奥まった位置に設定されている。
パックアップシート３５の幅方向における１０％伸長時の伸長力Ｆｂは、固定座面３０の幅方向における１０％伸長時の伸長力Ｆｆに比して弱く（Ｆｆ＞Ｆｂ）、慨して、固定座面３０の弾性布帛１２の伸長力Ｆｆの０．３〜０．９倍（Ｆｂ＝０．３Ｆｆ〜０．９Ｆｆ）になっている。
【００２４】
重なり合う縁取桿１６とフレーム桿１１の間にはスペーサ１９が挟み込まれている（図４・図５）。
そのスペーサ１９を取り替えることによってフレーム桿１１と布帛１２との距離、即ち、体支面１３の高さを調整することが出来る。
又、重なり合うフレーム桿１１と縁取桿１６が如何なる断面形状を成すものであっても、スペーサ１９のフレーム桿１１や縁取桿１６との当接面をフレーム桿１１や縁取桿１６の周面形状と同じ形状に加工するだけで、スペーサ１９を介してフレーム桿１１と縁取桿１６を実質的に面接触状態にすることが出来る。
具体例をもって説明すると、図５（ｂ）と（ｃ）と（ｄ）に示すように、円形断面のパイプをフレーム桿１１と縁取桿１６に使用する場合、それらの重なり合う状態は線点（コロガリ）接触状態になるが、その円形断面のパイプの周面に合わせてスペーサ１９の両端を円弧状に切削加工すれば、フレーム桿１１と縁取桿１６それぞれの周面がスペーサ１９に面接触するので、そのスペーサ１９を介してフレーム桿１１と縁取桿１６が実質的に安定した面接触状態になる。
従って、ネジ材１７は、細いビスで済み、太いボルトを使用せず済むので、椅子フレームの軽量化を図ることが出来、ボルトに合わせて太いネジ差込孔２０やネジ孔２８をフレーム桿１１や縁取桿１６に設けずに済む。
【００２５】
スペーサ１９は、フレーム桿１１と縁取桿１６の何れかに剛接することが出来る（図５−ｂ）。
しかし、体支面１３の高さ調整のためには、フレーム桿１１と縁取桿１６の間に、ネジ材１７を外して挿抜自在にスペーサ１９を挟み込むことが望ましい（図５−ｃ，図５−ｄ）。
特に、椅子フレームの軽量化のためには、パイプをスペーサ１９に用いることが推奨される（図５−ｄ）。
スペーサ１９は、所要の間隔をおいて飛び飛びにフレーム桿１１と縁取桿１６の間に挟み込むことが出来る（図４）。
【００２６】
フレーム桿１１にはネジ差込孔２０が穿設されており、その差込孔２０を貫通してフレーム桿１１から縁取桿１６へと差し込まれたネジ材１７は縁取桿に螺着する。
そのようにフレーム桿１１にネジ差込孔２０を穿設し、その差込孔２０にネジ材１７を差し込んでフレーム桿１１に縁取桿１６を螺着固定すると、効率的に布帛張設作業を行うことが出来る。
【００２７】
スペーサ１９には、必ずしもネジ材１７を差し込む挿通孔を設ける必要はない。
即ち、図５（ａ）に示すようにスペーサ１９を使用せずにネジ材１７によって接合されたフレーム桿１１と縁取桿１６の間にネジ材１７を緩めて隙間を設け、その隙間にスペーサ１９を挟み込み、その後、ネジ材１７を強く締めてスペーサ１９をフレーム桿１１と縁取桿１６に密着させることも出来る。
【００２８】
布帛の固定縁１４では、縁取桿１６がフレーム桿１１よりも外側に位置させ、布帛１２によって構成される体支面１３に対して４０度〜８０度の角度θをもって傾斜する方向において縁取桿１６をフレーム桿１１の上に重ね合わせ、その傾斜角度θと同じ角度をもってネジ材の軸芯線２１を体支面１３に対して傾斜させるとよい。
そうすると、体支面１３に加わる体重に応じて布帛１２に生じるテンションは、縁取桿１６をフレーム桿１１に圧着する押圧力となって作用することになり、ネジ材１７に対する強い曲げ応力となって作用することはなく、太いビスをネジ材１７に使用せずに済む。
【００２９】
ネジ材の軸芯線２１は、左右の揺動桿間２３ａ・２３ｂのピン接合点２４とフレーム桿１１の軸芯線を結ぶ直線２７と幾何学上の同じ平面内に位置させるとよい。
そうすると、体支面１３に加わる体重に応じて布帛１２に作用するテンションに対抗してネジ材１７のフレーム桿１１からの突出箇所や左右の揺動桿間のピン接合点２４、および、揺動桿２３とフレーム２２のピン接合点２５において生じる反力の作用方向は、その幾何学上の平面内で一致し、それらの反力の作用方向の不一致により、ネジ材１７に強い曲げモーメントが作用するのを回避することが出来る。
特に、フレーム桿１１や縁取桿１６との当接面がそれらの周面形状と同じ形状を成すスペーサ１９を使用する場合、布帛１２のテンションに起因する曲げモーメントは、スペーサ１９に作用するとしてもネジ材１７には作用しない。
この点でも、太いビスをネジ材１７に使用せずに済む。
【００３０】
そのためには、スペーサ１９をフレーム桿１１と縁取桿１６の何れかに、好ましくは縁取桿１６に剛接、接着剤による接着、加熱溶融による融着乃至溶接し、縁取桿１６と一体的に構成することが望ましい。
そのようにスペーサ１９をフレーム桿１１と縁取桿１６の何れかと一体化しておくと、縁取桿１６とフレーム桿１１を接合する際にネジ材１７やスペーサ１９の位置ズレがなく、その接合作業を効率的に行うことが出来る。
【００３１】
布帛１２に作用するテンションに起因する曲げモーメントがネジ材１７に作用しないようにするためには、フレーム桿１１から縁取桿１６に至るスペーサ１９の寸法（厚みｅ）を布帛１２の厚みと同じ程度に短く（薄く）、即ち、スペーサ１９のフレーム桿１１との当接面がフレーム桿１１の周面と同じ形の窪んだ曲面を維持することが出来、スペーサ１９の縁取桿１６との当接面が縁取桿１６の周面と同じ形の窪んだ曲面を維持することが出来、フレーム桿１１と縁取桿１６の間で狭厚されてスペーサ１９が剪断・破壊されない限りにおいて、可能な限り短く（薄く）する。
具体的に言えば、フレーム桿１１から縁取桿１６に至るスペーサ１９の寸法（厚みｅ）は２ｍｍ以下（１ｍｍ前後）であってもよい。
【００３２】
椅子フレームの軽量化のためには、フレーム桿１１と縁取桿１６にもパイプを用いることが推奨される（図５）。その場合、ネジ孔２８は、そのパイプの空洞に内嵌した部材に設ける。図５は、ネジ材１７としてタッピングボルトを使用した実施例を示すが、ボルトをネジ材１７に使用し、それを縁取桿１６に突設することも出来る。その場合、フレーム桿１１のネジ差込孔２０から突き出たボルトの先端にナットを螺着することになる。
【図面の簡単な説明】
【００３３】
【図１】本発明に係る布バネ式リクライニング車椅子の斜視図である。
【図２】本発明に係る布バネ式リクライニング車椅子の側面図である。
【図３】本発明に係る布バネ式椅子の体支面の正面図である。
【図４】本発明に係る布バネ式椅子の体支面の要部正面図である。
【図５】本発明に係る布バネ式椅子の体支面の要部拡大正面図である。
【符号の説明】
【００３４】
１１：フレーム桿
１２：布帛
１３：体支面
１４：固定縁
１５：空洞
１６：縁取桿
１７：ネジ材（ネジ）
１８：ネジ材の端部
１９：スペーサ
２０：ネジ差込孔
２１：ネジ材の軸芯線
２２：本体フレーム
２３：揺動桿
２４：揺動桿同士のピン接合点
２５：揺動桿とフレームのピン接合点
２６：自由端
２７：直線
２８：ネジ孔
２９：固定背凭れ
３０：固定座面
３１：自由縁
３２：フリー背凭れ
３３：ランバーサポート
３４：補強用弾性布帛
３５：パックアップシート
３６：揺動フレーム桿
３７：ダンパー
３８：中間部分
３９：フリー座面
【図１】
2008253654.tif 000003
【図２】
2008253654.tif 000004
【図３】
2008253654.tif 000005
【図４】
2008253654.tif 000006
【図５】
2008253654.tif 000007